(57)【要約】【課題】  サイクロイドヒンジモジュールを、画像部の形態及びサイズに制限を受けず、スイベル式の携帯用端末機に適用することができ、回転の際の作動が容易で、半自動の作動ができるようにすること。【解決手段】サイクロイドヒンジモジュールは、第１ボディーと、この第１ボディーに対して回転及びスライド移動可能な第２ボディーとを有する携帯用端末機に用いられ、第１ボディーに固定結合され、下側に第１リンク部が備えられ、この第１リンク部の上側に上下方向に長く形成されたガイド部が備えられる固定プレート、ガイド部の長手方向に沿ってスライド移動され、第２ボディーに固定結合され、一側に第２リンク部が備えられた遊動プレート、及び一側が第１リンク部に回転可能に結合され、他側が第２リンク部に回転可能に結合され、遊動プレートが固定プレートに対して回転するとき、ガイド部に沿ってスライド移動するようにさせるためのリンクアームを備える。【選択図】図２
2010124463.tif 000002
【特許請求の範囲】
【請求項１】
第１ボディーと、前記第１ボディーに対して回転及びスライド移動可能な第２ボディーとを有する携帯用端末機に用いられ、
前記第１ボディーに固定結合され、下側に第１リンク部が備えられ、前記第１リンク部の上側に上下方向に長く形成されたガイド部が備えられる固定プレート、
前記ガイド部の長手方向に沿ってスライド移動され、前記第２ボディーに固定結合され、一側に第２リンク部が備えられた遊動プレート、及び、
一側が前記第１リンク部に回転可能に結合され、他側が前記第２リンク部に回転可能に結合され、前記遊動プレートが前記固定プレートに対して回転するとき、前記ガイド部に沿ってスライド移動させるためのリンクアームを含む、サイクロイドヒンジモジュール。
【請求項２】
前記ガイド部は、前記固定プレートの中心部を貫通するように上下方向に長く延設された長孔状からなる、請求項１に記載のサイクロイドヒンジモジュール。
【請求項３】
前記遊動プレートの中心部には結合孔が形成され、
前記結合孔に嵌められ、前記ガイド部に挿入され、前記遊動プレートと共に前記ガイド部により案内される締結ピンをさらに含む、請求項２に記載のサイクロイドヒンジモジュール。
【請求項４】
前記結合孔の内側面に沿って結合され、前記結合孔と前記締結ピンとの間に位置するローラーリングをさらに含む、請求項３に記載のサイクロイドヒンジモジュール。
【請求項５】
前記遊動プレートが前記第１リンク部に近づくように弾性力を奏する弾性発生部をさらに含む、請求項１ないし４の何れか一項に記載のサイクロイドヒンジモジュール。
【請求項６】
前記弾性発生部は、前記遊動プレートと共にスライド移動するバネガイドプレートと、一側が前記固定プレートに支持され、他側が前記バネガイドプレートに連結され、前記バネガイドプレートを押したり、または引いたりするように形成されたバネとからなる、請求項５に記載のサイクロイドヒンジモジュール。
【請求項７】
前記バネは、多数個からなり、前記ガイド部を中心として左右対称に構成される、請求項６に記載のサイクロイドヒンジモジュール。
【請求項８】
前記遊動プレートは、前記第２ボディーが前記第１ボディーを基準として回転するとき、初期状態及び最終状態では、前記ガイド部上で最下側に位置し、前記第１リンク部、第２リンク部、締結ピンの順に同一線上に配置される状態では、前記ガイド部上で最上側又はそれより下方に位置する、請求項７に記載のサイクロイドヒンジモジュール。
【請求項９】
前記第２ボディーが前記第１ボディーを基準として回転するとき、最終状態は初期状態から９０°回転する、請求項８に記載のサイクロイドヒンジモジュール。
【発明の詳細な説明】
【技術分野】
【０００１】
本発明は、サイクロイドヒンジモジュールに関し、より詳細には、スイベル式の携帯用端末機に使用することができ、画像部の形成された第２ボディーが、それに組み合わせられている第１ボディーに対して回転するときに、単純に回転のみを行うのでなく、上方に押し上げられた第２ボディーが下方に向けて半自動のスライド作動が可能となるように構成されることによって、画像部のサイズ制限の短所を補うことができ、外観が美麗で作動が容易なサイクロイドヒンジモジュールに関する。 
【背景技術】
【０００２】
携帯用端末機に対する産業的需要は毎年増加しており、これにより需要者の要求に応じた様々な形態及び機能を備えた携帯用端末機が登場している。通常の携帯用端末機は、映像や図柄などを表示する画像部を備えており、このような画像部を介してテレビを視聴することができる機能をもさらに付加した携帯用端末機も多く登場している。 
【０００３】
携帯用端末機、特に携帯電話機は、使用者による把持容易性を考慮したうえで使用用途に応じて画像部が縦に長くなっているのが通常のものであるのに反して、テレビ画面は視聴の便宜を図るべく横方向に長く延長形成されるので、携帯用端末機を通じてテレビなどを視聴するためには携帯用端末機が横に向かうように構成する必要があった。こうした点などを考慮し、最近には、携帯用端末機の画像部が形成されている部分と、その部分に結合されている別の部分とに分離され、９０°回転することができるようになっている端末機が新しく登場している。使用者がわざわざ画像部を横方向に配置するために端末機を回転させる必要がないようにするためである。このように固定された形状のものでなく、回転可能に構成された携帯用端末機を、通常、「スイベル式(ｓｗｉｖｅｌ-ｔｙｐｅ)」と称する。 
【０００４】
しかしながら、前記のようなスイベル式の携帯用端末機は、次のような欠点を持っている。図１は、このような従来のスイベル式の携帯用端末機を示しており、画像部が備えられたボディー２と、ボディー２を回転可能に支持するボディー１を包含して構成される。ボディー２は、回転のための中心軸を基点として縁部の何れかの端部までの長さは、中心軸を基点として垂直下端部までの長さより長くならないように形成しなければならない。ボディー２が通常の四角形の形態になされた場合は、回転の際にボディー１の顎部に引っ掛かり回転が阻止される虞があるためである。したがって、図１(ａ)のようにボディー２の下端部を、中心軸を基準として端部までの長さが全て同様になるように丸く形成する。この場合、ボディー２に形成された画像部は、そのサイズに制限を受けるので、端末機の全体的な外形に空間が生じてしまい、美観を損なうことになる。
【０００５】
図１(ｂ)は、別の形態のスイベル式携帯用端末機であって、ボディー２において中心軸から垂直下端部までの長さを初めから短く形成している。このような形態の端末機も図１(ａ)のような欠点を排除することは難しく、むしろ無駄なスペースがさらに広くなる問題点があった。
【０００６】
また、このような従来の端末機は、回転された場合にもボディー２が端末機全体を基準として上側部分に位置することになるので、重心が高くなり、安定感のある、美麗な外観を確保することができなかった。
【発明の概要】
【発明が解決しようとする課題】
【０００７】
本発明は、画像部の形態及びサイズに制限を受けず、スイベル式の携帯用端末機に適用することができ、且つ、回転の際の作動が容易で、半自動の作動が可能なサイクロイドヒンジモジュールに関する。
【課題を解決するための手段】
【０００８】
本発明は、第１ボディーと、この第１ボディーに対して回転及びスライド移動可能な第２ボディーとを有する携帯用端末機に用いられ、第１ボディーに固定結合され、下側に第１リンク部が備えられ、この第１リンク部の上側に上下方向に長く形成されたガイド部が備えられる固定プレート、ガイド部の長手方向に沿ってスライド移動され、第２ボディーに固定結合され、一側に第２リンク部が備えられた遊動プレート、及び一側が第１リンク部に回転可能に結合され、他側が第２リンク部に回転可能に結合され、遊動プレートが固定プレートに対して回転するとき、ガイド部に沿ってスライド移動するようにさせるためのリンクアームを包含すること特徴とするサイクロイドヒンジモジュールを提供する。
【発明の効果】
【０００９】
本発明によれば、第一に、第１ボディーに結合される固定プレートと、第２ボディーに結合される遊動プレートとを互いにリンクアームにより結合するように構成し、第２ボディーが回転しながらスライド移動するようになすことにより、第２ボディーの形態及びサイズにおける制限を解消することができる。
【００１０】
第二に、遊動プレートが回転するとき、直線往復運動を行えるように構成することによって、ヒンジモジュールの作動が容易で、円滑な操作が図れる。
【００１１】
第三に、遊動プレートを第１リンク部の方に移動させようとする弾性発生部を構成することによって、半自動の作動が可能となり、操作がさらに容易となる。
【図面の簡単な説明】
【００１２】
【図１】従来のスイベル作動する携帯用端末機を示す図面。
【図２】本発明の一実施例によるサイクロイドヒンジモジュール及びこれを含めた携帯用端末機の斜視図。
【図３】本発明の他の実施例によるサイクロイドヒンジモジュールの分解斜視図。
【図４】本発明のさらに他の実施例によるサイクロイドヒンジモジュールの分解斜視図。
【図５】本発明のさらに他の実施例によるサイクロイドヒンジモジュール及びこれを用いた携帯用端末機の使用状態図。
【発明を実施するための最良の形態】
【００１３】
図２は、本発明の一実施例によるサイクロイドヒンジモジュール及びこれを包含している携帯用端末機の斜視図。
【００１４】
本発明の望ましい実施例によるサイクロイドヒンジモジュール１は、第１ボディー１００と、前記第１ボディー１００に対して回転及びスライド移動可能な第２ボディー２００とを有する携帯用端末機５００に用いられ、前記第１ボディー１００に固定結合され、下側に第１リンク部１１が備えられ、前記第１リンク部１１の上側に上下方向に長く形成されたガイド部１２が備えられる固定プレート１０、前記ガイド部１２の長手方向に沿ってスライド移動され、前記第２ボディー２００に固定結合され、一側に第２リンク部２１が備えられる遊動プレート２０、及び、一側が前記第１リンク部１１に回転可能に結合され、他側が前記第２リンク部２１に回転可能に結合され、前記遊動プレート２０が前記固定プレート１０に対して回転するとき、前記ガイド部１２に沿ってスライド移動するようにさせるためのリンクアーム３０を包含する。
【００１５】
本発明のサイクロイドヒンジモジュールは、スイベル動作をする携帯用端末機に使われるものとして、スイベル式の携帯用端末機は、通常の折り畳み式端末機ばかりでなく、ストレート式端末機、スライド式端末機などもスイベル動作を要求するものであれば包含されることができ、縦方向に長くなっている画像部を横方向に長くするために回転が必要な端末機全てに使用することができる。
【００１６】
本発明のサイクロイドヒンジモジュール１は、携帯用端末機が第１ボディー１００と第２ボディー２００とに分けて構成される端末機に用いられる。第１ボディー１００は、回転を支持するボディーとなり、第２ボディー２００が第１ボディー１００に対して回転を行うように構成される。図２の如く、折畳み式の端末機では、操作部３００(キーパッドが備えられているところ)の蓋部分を構成することになり、操作部３００とヒンジ動作する部分が第１ボディー１００に当たるものの、ストレート式端末機では、操作部そのものが第１ボディー１００に当たることになる。
【００１７】
前記第２ボディー２００の上に形成された画像部が縦方向に長くなっている状態が通常の状態であって、本発明では説明の便宜上、この状態を初期状態と定義する。また、前記第２ボディー２００が初期状態から回転を行い、同方向にそれ以上回転できなくなった状態を最終状態と称する。
【００１８】
前記固定プレート１０は、前記第１ボディー１００に固定結合される。前記固定プレート１０は、全体的に薄板状になっており、下側(通常の携帯用端末機５００の画像部を正面視下方向)に前記第１リンク部１１が備えられ、前記第１リンク部１１の上側(通常の携帯用端末機５００の画像部を正面視上方向)にガイド部１２が備えられる。
【００１９】
前記第１リンク部１１は、前記リンクアーム３０が連結される部分であり、前記ガイド部１２は、前記遊動プレート２０がスライド動作する方向を案内する。前記第１リンク部１１には前記リンクアーム３０が前記第１リンク部１１を軸として回転できるように結合部が形成される。
【００２０】
前記ガイド部１２は、前記第１リンク部１１の上側に上下方向に真っ直ぐに形成される。したがって、前記ガイド部１２により案内される前記遊動プレート２０は回転してもその中心は前記ガイド部１２に沿って移動することになる。
【００２１】
前記遊動プレート２０は、前記第２ボディー２００に固定結合され、前記第２ボディー２００と共に回転及びスライド移動する。前記遊動プレート２０は前記ガイド部１２により案内され、基本的に前記ガイド部１２に沿って上下方向にスライド移動することになる。前記遊動プレート２０の一側には前記リンクアームに連結される第２リンク部２１が備えられ、前記第１リンク部１１にも連結してある前記リンクアームの回転に従い前記遊動プレート２０が回転することになる。
【００２２】
前記リンクアーム３０は、一側が前記第１リンク部１１に、他側が前記第２リンク部２１に回転可能に組み合わされ、前記遊動プレート２０の回転及びスライド移動を仲介する。前記第１リンク部１１と前記第２リンク部２１とをつなげるリンクアームの長さは、前記遊動プレート２０の回転及びスライド移動を妨げることがないように短くならないように形成する。
【００２３】
以下では、前記第２ボディー２００が前記第１ボディー１００を基準として回転する動作について詳述する。
【００２４】
図２を参照して回転動作を注意深くみると、第２ボディー２００が初期状態から回転を行い、時計方向に回転すると、前記第２ボディー２００に固定結合してある前記遊動プレート２０も共に時計方向に回転を行う。この際、前記遊動プレート２０に連結されている前記リンクアーム３０は、前記第１リンク部１１を軸として反時計方向に回転することになるが、回転と同時に前記リンクアーム３０が前記遊動プレート２０を上方に押し上げることにより、前記遊動プレート２０は前記ガイド部１２に沿って上側方向にスライド移動することになる。したがって、携帯用端末機５００において、スイベル動作のために第２ボディー２００が前記第１ボディー１００を基準として時計方向に回転しても前記第２ボディー２００は上方に向けて押し上げられるので、前記第２ボディー２００の下側角部を丸く形成しなくても引っ掛かることはなく、よって前記第２ボディー２００の形状に制限を受けることはない。
【００２５】
前記第２ボディー２００が引き続き回転すると、前記遊動プレート２０はその中心が前記ガイド部１２に沿って上昇し、もう上昇できなくなった地点があるが、この地点がデッドポイント(ｄｅａｄ  ｐｏｉｎｔ)に当たる。デッドポイントを通過すると、前記遊動プレート２０の中心は改めて下降することになり、前記遊動プレート２０が前記ガイド部１２の下端に到達すると、回転は止まり、最終状態になる。したがって、前記遊動プレート２０が固定結合された前記第２ボディー２００は第１ボディー１００に対して比較的に下方に位置することができるので、安定的な構造を提供できると共に外観が極めて優れている。
【００２６】
図３は、本発明の他の実施例によるサイクロイドヒンジモジュールの分解斜視図で、本発明の望ましい実施例によるサイクロイドヒンジモジュール１において、前記ガイド部１２は、前記固定プレート１０の中心部を貫通するように上下方向に長く延びた長孔状からなっている。
【００２７】
また、前記遊動プレート２０の中心部には結合孔２２が形成され、該結合孔２２に嵌められ、前記ガイド部１２に挿入され、前記遊動プレート２０と共に前記ガイド部１２により案内される締結ピン４０をさらに包含する。
【００２８】
そして、前記結合孔２２の内側面に沿って結合し、前記結合孔２２と前記締結ピン４０との間に位置するローラーリング５０をさらに包含する。
【００２９】
前記ガイド部１２は、前記固定プレート１０の中心部に上下方向に形成されていると共に孔状からなっている。前記ガイド部１２は、前記固定プレート１０を貫通して形成され、前記ガイド部１２の内側に前記締結ピン４０が挿入される。
【００３０】
前記遊動プレート２０の中心には前記締結ピン４０が嵌められるように貫通してなされた結合孔２２が形成されている。前記結合孔２２は、前記締結ピン４０を介して前記固定プレート１０に連結されるための手段であって、前記遊動プレート２０が前記ガイド部１２の長手方向に沿ってスライド移動するようになっている。
【００３１】
前記締結ピン４０は、前記リンクアーム３０と共に前記固定プレート１０と前記遊動プレート２０とを連結する手段であり、前記遊動プレート２０が回転時、前記ガイド部１２に沿ってスライド移動するように支持する。前記締結ピン４０の上端の直径は、前記遊動プレート２０からの離脱を防止するために前記結合孔２２の直径より大きく形成し、前記締結ピン４０の下側部は、前記遊動プレート２０が前記ガイド部１２の長手方向以外の方向に離隔されるのを防止するために前記ガイド部１２の孔にぴったりと合うように形成される。
【００３２】
前記ローラーリング５０は、前記結合孔２２と前記締結ピン４０との間に位置づけられるが、前記遊動プレート２０が前記締結ピン２０と別個に回転するとき、両者間の摩擦を低減させる役割を奏し、操作が容易となる。
【００３３】
前記固定プレート１０は、前記第１ボディー１００に固定結合されるために前記第１ボディー１００に形成の溝に嵌着される。前記リンクアーム３０は、前記固定プレート１０及び遊動プレート２０に回転可能に結合されるべく、図３に図示のピンにより連結される。
【００３４】
図４は、本発明のさらに他の実施例によるサイクロイドヒンジモジュールの分解斜視図で、本発明の望ましい実施例によるサイクロイドヒンジモジュール１は、前記遊動プレート２０が前記第１リンク部１１に近づくように弾性力を奏する弾性発生部６０をさらに包含する。
【００３５】
また、前記弾性発生部６０は、前記遊動プレート２０と共にスライド移動されるバネガイドプレート６１と、一側が前記固定プレート１０に支持され、他側が前記バネガイドプレート６１に連結され、前記バネガイドプレート６１を押したり、又は引いたりするように形成されたバネ６２とからなる。
【００３６】
そして、前記バネ６２は、多数個からなり、前記ガイド部１２を中心として左右対称に構成される。
【００３７】
前記弾性発生部６０は、前記遊動プレート２０が前記ガイド部１２に沿ってスライド移動しながら半自動の作動を行うことができるようにする構成である。
【００３８】
前記弾性発生部６０は、前記遊動プレート２０が前記第１リンク部１１の方向に近づくように弾性力を作用する。前記遊動プレート２０は、前記固定プレート１０に対して回転するとき、初期状態及び最終状態では前記固定プレート１９上から相対的に下方に位置し、回転する過程で前記ガイド部１２に沿って上側方向にスライド移動する。したがって、前記遊動プレート２０と固定結合している第２ボディー２００が半自動の作動をするためには前記遊動プレート２０が初期状態及び最終状態で前記固定プレート１０の上で最下側に止まるように外力が作用しなければならず、こうした作用は前記弾性発生部６０により奏される。
【００３９】
前記弾性発生部６０は、前記第１リンク部１１の方向から前記遊動プレート２０を引っ張るための力が作用するように形成されており、図４に示したように前記第１リンク部１１の反対方向から前記遊動プレート２０を押す力が作用するように形成されることも可能である。
【００４０】
前記弾性発生部６０は、前記固定プレート１０の下側に位置するが、この際、前記弾性発生部６０は、前記固定プレート１０と前記第１ボディー１００との間に位置する。前記弾性発生部６０は固定されるものでなく、前記遊動プレート２０のスライド移動に従い遊動されるべきものであるので、遊動のための構成が必要とされる。前記固定プレート１０の下側に前記弾性発生部６０の遊動を妨げないための空間が設けられており、前記固定プレート１０の裏面に凹溝が形成され、該凹溝に前記弾性発生部６０が挿着することになる。
【００４１】
前記弾性発生部６０は、前記バネガイドプレート６１と前記バネ６２とからなる。前記バネガイドプレート６１は、前記遊動プレート２０に連結されるものの、固定して組み合わされるのではなく、両者間の中心部が連結された状態で相互回転可能に組み合わされる。
【００４２】
前記バネガイドプレート６１は、前記遊動プレート２０、前記固定プレート１０に挿入された前記締結ピン４０により連結されており、よって前記遊動プレート２０とスライド移動を一緒に行いながら、前記遊動プレート２０の回転を妨害しないようになっている。
【００４３】
前記バネ６２は、前記固定プレート１０により支持され、前記バネガイドプレート６１を押したり、引いたりする。前記バネ６２は、前記固定プレート１０上にて前記第１リンク部１１の方向に位置し、前記バネガイドプレート６１を引っ張るための力が作用するように形成されており、図４に示したように前記第１リンク部１１の反対方向に位置し、前記バネガイドプレート６１を押すための力が作用するように形成されることも可能である。以下では、図４に示されているように、前記バネ６２は、前記固定プレートの裏面にて前記第１リンク部１１の反対方向に位置していることを基に説明する。
【００４４】
前記バネ６２は、前記ガイド部１２を中心として左右対称に備えられている。前記弾性発生部６０において、前記バネ６２は、前記遊動プレート２０を初期状態又は最終状態に位置させるための弾性力を発生するものであって、前ガイド部１２を中心として対称に設けられ、前記遊動プレート２０に弾性力が伝わると、前記第２ボディー６００の回転及びスライド移動はさらにスムーズに行われ得る。
【００４５】
図５は、本発明のさらに他の実施例によるサイクロイドヒンジモジュール及びこれを用いた携帯用端末機を示した使用状態図である。
本発明の望ましい実施例によるサイクロイドヒンジモジュール１において、前記遊動プレート２０は、前記第２ボディー２００が前記第１ボディー１００を基準に回転するとき、初期状態及び最終状態では前記ガイド部１２上で最下側に位置し、前記第１リンク部１１、第２リンク部２１、締結ピン４０の順に同一線上に配置された状態では前記ガイド部１２上で最上側又はそれより下方に位置するようになっている。
【００４６】
また、前記第２ボディー２００が前記第１ボディー１００を基準に回転するとき、最終状態は初期状態から９０°回転するようになっている。
【００４７】
前記ガイド部１２の長さ及び位置、前記第１リンク部１１及び第２リンク部２１とをつなげる前記リンクアームの長さは、前記遊動プレート２０の回転及びスライド移動を決定する。前記ガイド部１２と前記リンクアームは、 前記遊動プレート２０が初期状態で前記ガイド部１２の最下側に位置するように形成される。
【００４８】
また、前記遊動プレート２０が回転し、デッドポイントを通った後、最終状態に到達することを妨げないように前記ガイド部１２と前記リンクアーム３０を形成しなければならない。即ち、前記ガイド部１２の長さをあまり短く形成したり、前記第１リンク部１１及び第２リンク部２１とをつなげる前記リンクアームの長さをあまり長く形成してはいけない。
【００４９】
第２ボディー２００は、前記第１ボディー１００を基準に９０°回転することが望ましいので、最終状態は、初期状態から前記遊動プレート２０が９０°回転するように形成される。
【符号の説明】
【００５０】
１：サイクロイドヒンジモジュール 
１０：固定プレート 
１１：第１リンク部
１２：ガイド部 
２０：遊動プレート
２１：第２リンク部
２２：結合孔
３０：リンクアーム
４０：締結ピン
５０：ローラーリング
６０：弾性発生部
６１：バネガイドプレート
６２：バネ
１００：第１ボディー
２００：第２ボディー
３００：操作部
５００：携帯用端末機
【図１】
2010124463.tif 000003
【図２】
2010124463.tif 000004
【図３】
2010124463.tif 000005
【図４】
2010124463.tif 000006
【図５】
2010124463.tif 000007